(57)【要約】【課題】上下方向に巻いた幼児保持部が復元力等で自然と開いてしまわないようにする。【解決手段】ベビーキャリア１は、使用者Ｕの腰部に巻き付けられるウエスト部１０と、ウエスト部１０から上方に延びて幼児Ｂを保持する幼児保持部２０とを含み構成されている。そして、不使用時に上下方向に巻いた幼児保持部２０をその外周側で左右方向に巻いたウエスト部１０の内周側に収納したときに、幼児保持部２０の上下方向に巻いた状態を維持するために互いに係合する第一係合部１３と第二係合部２３とが、ウエスト部１０と幼児保持部２０とに設けられている。【選択図】図１
2012239809.tif 000002
【特許請求の範囲】
【請求項１】
使用者（Ｕ）の腰部に巻き付けられるウエスト部（１０）と、ウエスト部（１０）から上方に延びて幼児（Ｂ）を保持する幼児保持部（２０）とを含むベビーキャリアにおいて、
不使用時に上下方向に巻いた前記幼児保持部（２０）をその外周側で左右方向に巻いた前記ウエスト部（１０）の内周側に収納したときに、前記幼児保持部（２０）の上下方向に巻いた状態を維持するために互いに係合する第一係合部（１３）と第二係合部（２３）とが、前記ウエスト部（１０）と前記幼児保持部（２０）とに設けられたことを特徴とするベビーキャリア。
【請求項２】
前記幼児保持部（２０）は、その上部に幼児（Ｂ）の頭部を支持する頭部支持部（２７）を備え、不使用時に前記頭部支持部（２７）を幼児保持部（２０）の前側で共に巻くことができるように、前記第二係合部（２３）は、前記頭部支持部（２７）よりも後方の前記幼児保持部（２０）の上部に設けられた請求項１記載のベビーキャリア。
【請求項３】
前記第一係合部（１３）又は第二係合部（２３）は、前記幼児保持部（２０）又は前記ウエスト部（１０）に突設された突片（１２，２２）に設けられた請求項２記載のベビーキャリア。
【請求項４】
前記第一係合部（１３）及び第二係合部（２３）並びに前記突片（１２，２２）は、それぞれ１つずつ設けられた請求項３記載のベビーキャリア。
【請求項５】
前記第一係合部（１３）及び第二係合部（２３）並びに前記突片（１２，２２）は、それぞれ左右方向に間隔をおいて２つずつ設けられた請求項３記載のベビーキャリア。
【発明の詳細な説明】
【技術分野】
【０００１】
本発明は、幼児を抱っこ又はおんぶするのを補助するためのベビーキャリアに関する。
【背景技術】
【０００２】
ベビーキャリアの中には、特許文献１のもののように、使用者の腰部に巻き付けられるウエスト部と、ウエスト部から上方に延びて幼児を保持する幼児保持部とを含むものがある。
【特許文献１】特開平１１-０４６９３８
【発明の概要】
【発明が解決しようとする課題】
【０００３】
本発明者は、上記のようなベビーキャリアにおいて、不使用時には、幼児保持部を上下方向に巻くとともに、その外周側でウエスト部を左右方向に巻くことによって、幼児保持部をウエスト部の内周側に収納して該ベビーキャリアをコンパクトに纏めることを考えた。しかしながら、そのように収納した収納状態で該ベビーキャリアを持ち運んだ場合等には、上下方向に巻いた幼児保持部が復元力等で自然と開いてばらけてしまうことが多いことに気付いた。
【０００４】
そこで、上下方向に巻いた幼児保持部が復元力等で自然と開いてしまわないようにして、幼児保持部をウエスト部の内周側に収納した収納状態を維持できるようにすることを目的とする。
【課題を解決するための手段】
【０００５】
上記目的を達成するため、本発明のベビーキャリアは、使用者の腰部に巻き付けられるウエスト部と、ウエスト部から上方に延びて幼児を保持する幼児保持部とを含むベビーキャリアにおいて、不使用時に上下方向に巻いた前記幼児保持部をその外周側で左右方向に巻いた前記ウエスト部の内周側に収納したときに、前記幼児保持部の上下方向に巻いた状態を維持するために互いに係合する第一係合部と第二係合部とが、前記ウエスト部と前記幼児保持部とに設けられたことを特徴とする。
【０００６】
前記幼児保持部は、特に限定されないが、その上部に幼児の頭部を支持する頭部支持部を備え、不使用時に前記頭部支持部を幼児保持部の前側で共に巻くことができるように、前記第二係合部は、前記頭部支持部よりも後方の前記幼児保持部の上部に設けられていることが好ましい。
【０００７】
前記第一係合部又は第二係合部は、特に限定されないが、前記幼児保持部又は前記ウエスト部に突設された突片に設けられていることが好ましい。
【０００８】
前記第一係合部及び第二係合部の数等は、特に限定されないが、次の［１］［２］の場合を例示する。
［１］前記第一係合部及び第二係合部並びに前記突片は、それぞれ１つずつ設けられている態様。
［２］前記第一係合部及び第二係合部並びに前記突片は、それぞれ左右方向に間隔をおいて２つずつ設けられている態様。
【０００９】
前記第一係合部及び前記第二係合部は、特に限定されないが、次の［１］〜［３］の態様を例示する。
［１］前記第一係合部及び前記第二係合部は、嵌合凸部及び嵌合凹部の一方及び他方である態様。
［２］前記第一係合部及び前記第二係合部は、オス型面ファスナー及びメス型面ファスナーの一方及び他方である態様。
［３］前記第一係合部及び前記第二係合部は、オス型バックル及びメス型バックルの一方及び他方である態様。
【発明の効果】
【００１０】
本発明によれば、第一係合部と第二係合部とがあるため、上下方向に巻いた幼児保持部が復元力等で自然と開いてしまうことがない。そのため、幼児保持部をウエスト部の内周側に収納した収納状態を維持することができる。
【図面の簡単な説明】
【００１１】
【図１】実施例１のベビーキャリアを収納する手順を（ａ）〜（ｄ）に示す正面図である。
【図２】実施例１のベビーキャリアを収納する手順を（ａ）〜（ｄ）に示す下面図である。
【図３】実施例１のベビーキャリアの使用状態を示す側面図（ａ）及び正面図（ｂ）である。
【図４】実施例２のベビーキャリアを収納する手順を（ａ）〜（ｄ）に示す正面図である。
【図５】実施例３のベビーキャリア（ａ）及び実施例４のベビーキャリア（ｂ）を示す正面図である。
【発明を実施するための形態】
【実施例１】
【００１２】
図１〜図３に示す本実施例１のベビーキャリア１は、次に示すウエスト部１０と、幼児保持部２０と、左右の肩掛部３０，３０と、日除部４０とを含み構成されている。
【００１３】
［ウエスト部１０］
ウエスト部１０は、使用者Ｕの腰部に巻き付けられる部位であって、次に示すウエストパッド１１と、ウエストベルト１５とを含み構成されている。
【００１４】
ウエストパッド１１は、おんぶの場合は使用者Ｕの腰に、抱っこの場合は使用者Ｕの腹にあてがわれるパッドである。このウエストパッド１１は、正面視で幼児保持部２０の背当部２１の下端部の左端よりも左方に突出した左方突出部１１Ｌと右端よりも右方に突出した右方突出部１１Ｒとを備えている。また、このウエストパッド１１の左右中央下端部には、下方に突出した突片１２が設けられ、該突片１２の下端部の背面側には第一係合部１３（嵌合凸部）が設けられている。
【００１５】
ウエストベルト１５は、使用者Ｕの胴回りに巻かれるベルトであって、ウエストパッド１１にその左方突出部１１Ｌの左端部と右方突出部１１Ｒの右端部とを繋ぐように取り付けられている。そして、中間部に設けられたバックル１６Ｌ，１６Ｒで切り離し可能に構成されている。
【００１６】
［幼児保持部２０］
幼児保持部２０は、幼児Ｂを保持する部位であって、ウエスト部１０から上方に延びている。この幼児保持部２０は、次に示す背当部２１と、股当部２５と、頭部支持部２７とを含み構成されている。
【００１７】
背当部２１は、ウエストパッド１１の上端部から上方に延びて幼児Ｂの尻部及び背部にあれがわれる部位である。この背当部２１は、通気性が良くなるようにその一部又は全部がメッシュで形成されている。この背当部２１の左右中央上端部の正面側には、ウエストパッド１１の第一係合部１３と係合する第二係合部２３（嵌合凹部）が設けられている。
【００１８】
股当部２５は、幼児Ｂの股部及び胴部にあてがわれる部位であって、背当部２１の下部の正面側に取り付けられている。また、頭部支持部２７は、幼児Ｂの頭部を支持するための部位であって、背当部２１の上部の正面側に取り付けられている。詳しくは、この頭部支持部２７は、ベビーキャリア１の不使用時には背当部２１の前側で該背当部２１と共に巻くことができるように、背当部２１の上部の正面側において第二係合部２３よりも前方に取り付けられている。
【００１９】
［肩掛部３０］
左右の肩掛部３０，３０は、使用者Ｕの肩に掛けられる部位であって、背当部２１の左右の両端部にそれぞれ取り付けられている。そして、実際に肩に当たる部分の外周部にはパッドが設けられている。
【００２０】
［日除部４０］
日除部４０は、日差しが強い場合等に幼児Ｂを上方から覆うための部位であって、背当部２１の上端部に取り付けられている。詳しくは、この日除部４０は、ベビーキャリア１の不使用時には背当部２１の前側で該背当部２１と共に巻くことができるように、背当部２１の上端部において、第二係合部２３よりも前方に取り付けられている。また、頭部支持部２７よりは後方に設けられている。また、この日除部４０の先端部には、幼児Ｂを上方から覆う際に該日除部４０の先端部を左右の肩掛部３０、３０の上部に連結するための連結片４１，４１が設けられている。
【００２１】
次に、以上に示したベビーホルダー１を収納する手順を以下に説明する。
【００２２】
まず、図１（ａ）及び図２（ａ）に示すように、ベビーホルダー１をその正面側を上側にして載置する（但し、以下で「上」若しくは「下」又は「前」若しくは「後」というときは、ベビーホルダ１をその正面側からみた状態での「上」若しくは「下」又は「前」若しくは「後」をいうものとする。）。このとき、ウエストベルト１５，１５は中間部のバックル１６Ｌ，１６Ｒで切り離して左右方向に広げておく。
【００２３】
次に、図１（ｂ）及び図２（ｂ）に示すように、左右の肩掛部３０，３０を左右内側に折り込んで幼児保持部２０の前に載置するとともに、日除部４０を下方に折り込んで幼児保持部２０の前に載置する。
【００２４】
次に、図１（ｃ）及び図２（ｃ）に示すように、幼児保持部２０を上から下に正面側に巻いて、幼児保持部２０の第二係合部２３をウエストパッド１１の第一係合部１３に係合させる。これによって、幼児保持部２０の内周側に左右の肩掛部３０，３０と日除部４０とが収納される（すなわち、背当部２１の内周側に股当部２５と頭部支持部２７と左右の肩掛部３０，３０と日除部４０とが収納される。）。
【００２５】
そして、最後に、図１（ｄ）及び図２（ｄ）に示すように、中間部で切り離していたウエストベルト１５，１５を、上下方向に巻いた幼児保持部２０の前側にてバックル１６Ｌ，１６Ｒで連結する。これにより、上下方向に巻かれた幼児保持部２０並びにその内周側に収納された左右の肩掛部３０，３０及び日除部４０が、それらの外周側で左右方向に巻かれたウエスト部１０の内周側に収納される。
【００２６】
本実施例１によれば、第一係合部１３と第二係合部２３とがあるため、上下方向に巻いた幼児保持部２０が復元力等で自然と開いてしまうことがない。そのため、幼児保持部２０等をウエスト部１０の内周側に収納した収納状態を維持することができる。また、第一係合部１３が突片１２に設けられているため、幼児保持部２０の内周側に、左右の肩掛部３０，３０や日除部４０を巻き込んでも、該第一係合部１３が第二係合部２３に届かなくなる心配がない。
【実施例２】
【００２７】
図４に示す本実施例２のベビーキャリア２は、次の［１］［２］の点で、実施例１のベビーキャリア１と相違し、その他の点においては、実施例１のベビーキャリア１と同様である。
［１］ウエストパッド１１の左右中央下端部には突片１２が設けられておらず、代わりに、ウエストパッド１１の左右中央下端部の背面側に直接、第一係合部１３が設けられている点。
［２］背当部２１の左右中央上端部に上方に突出する突片２２が設けられ、該突片２２の上端部の正面側に第二係合部２３が設けられている点。
【００２８】
本実施例２によれば、第一係合部１３はウエストパッド１１に直接設けられているが、第二係合部２３が突片２２に設けられているため、実施例１と同様、幼児保持部２０の内周側に、左右の肩掛部３０，３０や日除部４０を巻き込んでも、該第二係合部２３が第一係合部１３に届かなくなる心配がない。
【実施例３】
【００２９】
図５（ａ）に示す本実施例３のベビーキャリア３は、次の［１］［２］の点で、実施例１のベビーキャリア１と相違し、その他の点においては、実施例１のベビーキャリア１と同様である。
［１］ウエストパッド１１の左右中央下端部には、第一係合部１３を備えた突片１２が設けられておらず、代わりに、ウエストパッド１１の下端部の左右方向に間隔をおく２箇所に該突片１２，１２が設けられている点。
［２］背当部２１のの左右中央上端部には、第二係合部２３が設けられておらず、代わりに、背当部２１の上端部の左右方向に間隔おく２箇所に該第二係合部２３，２３が設けられている点。
【００３０】
本実施例３によれば、第一係合部１３，１３と第二係合部２３，２３とがそれぞれ２つずつあるため、実施例１よりも安定に幼児保持部２０の上下方向に巻いた状態を維持することができる。但し、係合部が２つあることで留める際の手間が増える点では、実施例１よりも不利である。
【実施例４】
【００３１】
図５（ｂ）に示す本実施例４のベビーキャリア４は、次の［１］［２］の点で、実施例２のベビーキャリア２と相違し、その他の点においては、実施例２のベビーキャリア２と同様である。
［１］ウエストパッド１１の左右中央下端部には、第一係合部１３が設けられておらず、代わりに、ウエストパッド１１の下端部の左右方向に間隔をおく２箇所に該第一係合部１３，１３が設けられている点。
［２］背当部２１のの左右中央上端部には、第二係合部２３を備えた突片２２が設けられておらず、代わりに、背当部２１の上端部の左右方向に間隔おく２箇所に該突片２２，２２が設けられている点。
【００３２】
本実施例４によれば、第一係合部１３，１３と第二係合部２３，２３とがそれぞれ２つずつあるため、実施例２よりも安定に幼児保持部２０の上下方向に巻いた状態を維持することができる。但し、係合部が２つあることで留める際の手間が増える点では、実施例２よりも不利である。
【００３３】
なお、本発明は上記実施例１，２に限定されるものではなく、発明の趣旨を逸脱しない範囲で各部の構成や形状を任意に変更して実施することもできる。
【符号の説明】
【００３４】
１    ベビーキャリア（実施例１）
２    ベビーキャリア（実施例２）
３    ベビーキャリア（実施例３）
４    ベビーキャリア（実施例４）
１０    ウエスト部
１２    突片
１３    第一係合部
２０    幼児保持部
２２    突片
２３    第二係合部
２５    頭部支持部
Ｂ    幼児
Ｕ    使用者
【図１】
2012239809.tif 000003
【図２】
2012239809.tif 000004
【図３】
2012239809.tif 000005
【図４】
2012239809.tif 000006
【図５】
2012239809.tif 000007